(57)【要約】【課題】  画像データの送受信と通信異常の判定とを適正に実行する。【解決手段】  第ｎ頁の画像データを送信するように指示するnPageReq信号が送信（（Ａ））され、画像データのｎライン分を送信するように指示するnLineReq信号が送信（（Ｂ））されると、画像データのｎライン分を送信する（nValidがハイ状態）。画像データは、１ライン分毎に間欠送信される。画像データの間欠送信の間に、テストデータを送信し、テストデータに基づいて通信異常が発生しているか否かを判定する判定処理を実行する。【選択図】        図１３
2006303626.tif 000002
【特許請求の範囲】
【請求項１】
テストデータ及び画像データを、パラレルデータから変換してシリアルデータとして通信回線を介して送信する送信装置であって、
前記画像データを処理するジョブ中に、前記テストデータを、前記画像データの受信と干渉しない状態で送信する
ことを特徴とする送信装置。
【請求項２】
前記通信回線は、画像データにおける複数の色各々毎に設けられ、
前記画像データを、複数の色各々毎に、各々に対応する通信回線を介して送信し、
前記テストデータは、前記画像データを送信する際に使用していない通信回線を介して送信する
ことを特徴とする請求項１記載の送信装置。
【請求項３】
前記画像データを間欠的に送信し、
前記テストデータは、画像データを間欠送信する間に送信する
ことを特徴とする請求項１記載の送信装置。
【請求項４】
請求項１記載の送信装置と前記通信回線を介して接続され、前記テストデータ及び前記画像データを受信する受信装置であって、
前記画像データを処理するジョブ中に、前記テストデータを、前記画像データの受信と干渉しない状態で受信する
ことを特徴とする受信装置。
【請求項５】
請求項２記載の送信装置と前記通信回線を介して接続され、前記テストデータ及び前記画像データを受信する受信装置であって、
前記通信回線は、画像データにおける複数の色各々毎に設けられ、
前記画像データを、複数の色各々毎に、各々に対応する通信回線を介して受信し、
前記画像データを処理するジョブ中に、前記テストデータを、前記画像データを送信する際に使用していない通信回線を介して受信する
ことを特徴とする受信装置。
【請求項６】
請求項３記載の送信装置と前記通信回線を介して接続され、前記テストデータ及び前記画像データを受信する受信装置であって、
前記画像データを間欠的に受信し、
前記画像データを処理するジョブ中に、前記テストデータは、画像データを間欠受信する間に受信する
ことを特徴とする受信装置。
【請求項７】
前記受信されたシリアルデータをパラレルデータに変換する変換手段と、
前記パラレルデータに変換されたテストデータの各ビットのデータに基づいて、前記送信装置との間の通信に異常があるか否かを判断する判断手段と、
前記判断手段により異常があると判断された場合、前記判断結果を報知する報知手段と、
を備えた請求項４乃至請求項６の何れか１項に記載の受信装置。
【請求項８】
前記報知手段は、前記判断結果を表示することを特徴とする請求項７記載の受信装置。
【請求項９】
前記報知手段は、画像データに基づいて用紙に画像を形成する画像形成手段に前記判断結果を報知することを特徴とする請求項７又は請求項８記載の受信装置。
【請求項１０】
前記画像形成手段は、異常が発生していない画像が形成された用紙を排出する第１の排出部と、異常が発生した画像が形成された用紙を排出する第２の排出部とに選択的に用紙を排出可能に構成され、
前記報知手段は、前記判断手段により異常があると判断されたときのジョブ中の画像データに基づいて画像が形成された用紙を前記第２の排出部に排出するように、前記画像形成手段に前記判断結果を報知する
ことを特徴とする請求項９記載の受信装置。
【請求項１１】
前記判断手段は、前記テストデータの各ビット毎に前記異常があるか否かを判断し、
前記報知手段は、前記判断手段により、前記異常が特定ビットに集中している場合に、該特定ビットの前記画像データを、該特定ビット以外の他のビットの画像データで補償するように、前記画像形成手段に前記判断結果を報知する
ことを特徴とする請求項９又は請求項１０記載の受信装置。
【請求項１２】
前記報知手段は、前記判断手段により異常があると判断されたときのジョブ中の画像データに基づいて画像が形成される用紙に、異常が発生していることを示す情報が画像形成されるように、前記画像形成手段に前記判断結果を報知することを特徴とする請求項９記載の受信装置。
【請求項１３】
前記報知手段は、前記受信されたテストデータの上位ビットのみに異常があると判断された場合、前記判断結果を前記画像形成手段に報知することを特徴とする請求項９記載の受信装置。
【請求項１４】
前記送信装置が複数設けられると共に各送信装置には前記画像形成手段が接続され、
前記判断手段は、前記複数の送信装置各々との間の通信に異常があるか否かを判断し、
前記報知手段は、前記判断手段により前記複数の送信装置の何れかとの間の通信に異常があると判断された場合、通信する対象を変更すべき旨を表示する
ことを特徴とする請求項７記載の受信装置。
【請求項１５】
複数ビットで構成されたテストデータをパラレルデータから変換してシリアルデータとして通信回線を介して送信する送信装置から該テストデータを、該通信回線を介して受信する受信装置であって、
前記受信されたシリアルデータのテストデータをパラレルデータに変換する変換手段と、
前記変換されたテストデータの各ビットのデータに基づいて、前記送信装置との間の通信に異常があるか否かを判断する判断手段と、
前記判断手段により異常があると判断された場合、前記判断結果に応じて予め定めた異常の原因を報知する報知手段とを備えた受信装置。
【請求項１６】
複数ビットで構成された画像データをパラレルデータからシリアルデータに変換する変換手段と、
前記変換されたシリアルデータの画像データを、通信回線を介して送信する送信手段と、
を備えた送信装置であって、
前記画像データを送信する前記通信回線とは別に、前記変換手段及び前記送信手段に接続されると共に、ハイ状態又はロー状態に維持された他の通信回線を更に備えたことを特徴とする送信装置。
【請求項１７】
請求項１６記載の送信装置と前記通信回線及び前記他の通信回線を介して接続された受信装置であって、
前記通信回線を介して受信されたシリアルデータの画像データをパラレルデータに変換する変換手段と、
前記画像データを受信したタイミングで、前記他の通信回線を介して受信された信号の状態が、予め定められたハイ状態又はロー状態とは異なる状態か否かを判断することにより、前記送信装置の前記変換手段の動作異を判断する判断手段と、
を備えた受信装置。
【請求項１８】
請求項１６記載の送信装置と前記通信回線及び前記他の通信回線を介して接続された受信装置であって、
前記画像データを送信する前記通信回線とは別に、前記変換手段及び前記送信手段に接続される通信回線が1本である場合、送信されるデータは印字される論理であることを特徴とする受信装置。
【請求項１９】
請求項１６記載の送信装置と前記通信回線及び前記他の通信回線を介して接続された受信装置であって、
前記画像データを送信する前記通信回線とは別に、前記変換手段及び前記送信手段に接続される通信回線が複数本である場合、送信されるデータは印字される論理と非印字される論理の2通りあることを特徴とする受信装置。
【発明の詳細な説明】
【技術分野】
【０００１】
本発明は、送信装置及び受信装置にかかり、より詳細には、パラレルデータをシリアルデータに変換して通信回線を介して送信する送信装置及び該送信装置から送信されたシリアルデータを受信する受信装置に関する。
【背景技術】
【０００２】
従来、画像形成装置内部及びその周辺機器とのインターフェースの画像通信ルートで結線状態に異常が発生した場合、これに気付いた顧客からの連絡によりサービスマンが客先へ出向き、異常状態を確認し、部品を交換するなどの作業を行なっていた。
【０００３】
このような状態では、顧客が異常に気付くまで放置されるばかりか、異常が発生した場合に復帰までの時間が長くかかってしまう。
【０００４】
また、複数頁の印刷をする途中で結線状態に異常が発生し、これを原因として劣化した画像が形成された用紙が、それまでの適正な画像が形成された用紙に紛れ込んでしまう。
【０００５】
このようなことに鑑み従来、送信側の機器と受信側の機器との間のシリアル通信方式において、送信側から受信側に、送信レベルが調整された擬似ランダムパターンを送信し、受信側で受信波形の振幅を測定し、その振幅が小さい場合、これを送信側にフィードバックし、送信側が振幅を再度調整して擬似ランダムパターンを送信し、このようなフィードバック制御が可変範囲を超えた場合にアラームするシリアル通信方法が提案されている（特許文献１参照）。
【特許文献１】特開平2002-223204号公報
【発明の開示】
【発明が解決しようとする課題】
【０００６】
上記特許文献１の発明では、送信側と受信側との間の結線状態に異常が発生し、上記フィードバック制御が可変範囲を超えた場合、アラームすることになるので、ユーザに結線状態の異常発生を積極的に報知することができる。
【０００７】
しかしながら、上記特許文献１の発明を、画像データを送受信する送受信システムにそのまま適用すると、画像データと擬似ランダムパターンとが混在し、結線状態に異常が発生しているか否かを適正に判断することができなくなったり、画質に悪影響を及ぼしたりする。
【０００８】
本発明は、上記事実に鑑み成されたもので、画像データの送受信と通信異常の判定とを適正に実行することの可能な送信装置及び受信装置を提供することを目的とする。
【課題を解決するための手段】
【０００９】
上記目的を達成するために請求項１に記載の発明は、テストデータ及び画像データを、パラレルデータから変換してシリアルデータとして通信回線を介して送信する送信装置であって、前記画像データを処理するジョブ中に、前記テストデータを、前記画像データの受信と干渉しない状態で送信することを特徴とする。
【００１０】
請求項４記載の発明は、請求項１記載の送信装置と前記通信回線を介して接続され、前記テストデータ及び前記画像データを受信する受信装置であって、前記画像データを処理するジョブ中に、前記テストデータを、前記画像データの受信と干渉しない状態で受信することを特徴とする。
【００１１】
このように送信装置は、画像データを処理するジョブ中に、テストデータを、画像データの受信と干渉しない状態で送信し、受信装置は、画像データを処理するジョブ中に、テストデータを、画像データの受信と干渉しない状態で受信する。
【００１２】
送信装置がテストデータを画像データの受信と干渉しない状態で送信する態様としては、第１に、請求項２のように、通信回線を、画像データにおける複数の色各々毎に設け、画像データを、複数の色各々毎に、各々に対応する通信回線を介して送信し、テストデータを、画像データを送信する際に使用していない通信回線を介して送信する。
【００１３】
なお、テストデータは、テスト用の所定のデータでもよく、画像データと同一のデータとしてもよい。
【００１４】
上記第１の場合、受信装置は、請求項５のように、請求項２記載の送信装置と通信回線を介して接続され、前記テストデータ及び前記画像データを受信し、前記通信回線は、画像データにおける複数の色各々毎に設けられ、前記画像データを、複数の色各々毎に、各々に対応する通信回線を介して受信し、前記画像データを処理するジョブ中に、前記テストデータを、前記画像データを送信する際に使用していない通信回線を介して受信するものである。
【００１５】
第２に、送信装置は、請求項３のように、画像データを間欠的に送信し、テストデータは、画像データを間欠送信する間に送信する。
【００１６】
この場合、受信装置は、請求項６のように、請求項３記載の送信装置と前記通信回線を介して接続され、前記テストデータ及び前記画像データを受信する受信装置であって、画像データを間欠的に受信し、画像データを処理するジョブ中に、前記テストデータは、画像データを間欠受信する間に受信するものである。
【００１７】
上記受信装置（請求項４乃至請求項６の何れか１項に記載の受信装置）は、請求項７のように、前記受信されたシリアルデータをパラレルデータに変換する変換手段と、前記パラレルデータに変換されたテストデータの各ビットのデータに基づいて、前記送信装置との間の通信に異常があるか否かを判断する判断手段と、前記判断手段により異常があると判断された場合、前記判断結果を報知する報知手段と、を備えるようにしてもよい。
【００１８】
即ち、変換手段は、受信されたシリアルデータをパラレルデータに変換し、判断手段は、前記パラレルデータに変換されたテストデータの各ビットのデータに基づいて、前記送信装置との間の通信に異常があるか否かを判断する。
【００１９】
報知手段は、前記判断手段により異常があると判断された場合、前記判断結果を報知する。
【００２０】
なお、判断手段により異常があると判断された場合、回復処理を実行する回復条理実行手段を更に備えるようにしてもよい。
【００２１】
以上説明したように、画像データを処理するジョブ中に、テストデータを、画像データの受信と干渉しない状態で送受信し、パラレルデータに変換されたテストデータの各ビットのデータに基づいて、間の通信に異常があるか否かを判断するので、画像データの送受信と通信異常の判定とを適正に実行することができる。
【００２２】
報知手段は、請求項８のように、判断結果を表示するようにしてもよい。
【００２３】
また、報知手段は、請求項９のように、画像データに基づいて用紙に画像を形成する画像形成手段に判断結果を報知するようにしてもよい。
【００２４】
この場合、画像形成手段が、異常が発生していない画像が形成された用紙を排出する第１の排出部と、異常が発生した画像が形成された用紙を排出する第２の排出部とに選択的に用紙を排出可能に構成されている場合、請求項１０のように、報知手段は、前記判断手段により異常があると判断されたときのジョブ中の画像データに基づいて画像が形成された用紙を前記第２の排出部に排出するように、前記画像形成手段に前記判断結果を報知するようにしてもよい。
【００２５】
また、判断手段は、請求項１１のように、前記テストデータの各ビット毎に前記異常があるか否かを判断し、前記報知手段は、前記判断手段により、前記異常が特定ビットに集中している場合に、該特定ビットの前記画像データを、該特定ビット以外の他のビットの画像データで補償するように、前記画像形成手段に前記判断結果を報知するようにしてもよい。
【００２６】
更に、報知手段は、請求項１２のように、前記判断手段により異常があると判断されたときのジョブ中の画像データに基づいて画像が形成される用紙に、異常が発生していることを示す情報が画像形成されるように、前記画像形成手段に前記判断結果を報知するようにしてもよい。
【００２７】
また、報知手段は、請求項１３のように、受信されたテストデータの上位ビットのみに異常があると判断された場合、前記判断結果を前記画像形成手段に報知するようにしてもよい。
【００２８】
ところで、請求項１４のように、送信装置が複数設けられると共に各送信装置には前記画像形成手段が接続されている場合、判断手段は、前記複数の送信装置各々との間の通信に異常があるか否かを判断し、前記報知手段は、前記判断手段により前記複数の送信装置の何れかとの間の通信に異常があると判断された場合、通信する対象を変更すべき旨を表示するようにしてもよい。
【００２９】
請求項１５記載の発明は、複数ビットで構成されたテストデータをパラレルデータから変換してシリアルデータとして通信回線を介して送信する送信装置から該テストデータを、該通信回線を介して受信する受信装置であって、前記受信されたシリアルデータのテストデータをパラレルデータに変換する変換手段と、前記変換されたテストデータの各ビットのデータに基づいて、前記送信装置との間の通信に異常があるか否かを判断する判断手段と、前記判断手段により異常があると判断された場合、前記判断結果に応じて予め定めた異常の原因を報知する報知手段と、を備えている。
【００３０】
即ち、本発明は、複数ビットで構成されたテストデータをパラレルデータから変換してシリアルデータとして通信回線を介して送信する送信装置から該テストデータを、該通信回線を介して受信する受信装置である。
【００３１】
変換手段は、受信されたシリアルデータのテストデータをパラレルデータに変換し、判断手段は、前記変換されたテストデータの各ビットのデータに基づいて、前記送信装置との間の通信に異常があるか否かを判断する。
【００３２】
報知手段は、判断手段により異常があると判断された場合、前記判断結果に応じて予め定めた異常の原因を報知する。
【００３３】
例えば、テストデータの単一ビットに異常がある場合には、シリアルデータに変換される前で通信異常が発生していると原因を報知し、変換において相関のあるビットに異常がある場合には、シリアルデータに異常、即ち、通信回線において異常が発生していると原因を報知する。
【００３４】
請求項１６記載の発明は、複数ビットで構成された画像データをパラレルデータからシリアルデータに変換する変換手段と、前記変換されたシリアルデータの画像データを、通信回線を介して送信する送信手段と、を備えた送信装置であって、前記画像データを送信する前記通信回線とは別に、前記変換手段及び前記送信手段に接続されると共に、ハイ状態又はロー状態に維持された他の通信回線を更に備えたことを特徴とする。
【００３５】
請求項１７記載の発明は、請求項１６記載の送信装置と前記通信回線及び前記他の通信回線を介して接続された受信装置であって、前記通信回線を介して受信されたシリアルデータの画像データをパラレルデータに変換する変換手段と、前記画像データを受信したタイミングで、前記他の通信回線を介して受信された信号の状態が、予め定められたハイ状態又はロー状態とは異なる状態か否かを判断することにより、前記送信装置の前記変換手段の動作異常を判断する判断手段と、を備えている。
【００３６】
上記のように、送信装置は、画像データを送信する通信回線とは別に、変換手段及び送信手段に接続されると共に、ハイ状態又はロー状態に維持された他の通信回線を備えている。
【００３７】
ここで、送信装置の変換手段の動作異常があると、その影響が、上記別の通信回線に及ぶ。従って、画像データを受信したタイミングで、他の通信回線を介して受信された信号の状態が、予め定められたハイ状態又はロー状態とは異なる場合には、送信装置の変換手段の動作異常があると判断することができる。
【００３８】
そこで、請求項１７記載の発明の受信装置は、請求項１６記載の送信装置と前記通信回線及び前記他の通信回線を介して接続され、変換手段は、通信回線を介して受信されたシリアルデータの画像データをパラレルデータに変換し、判断手段は、画像データを受信したタイミングで、前記他の通信回線を介して受信された信号の状態が、予め定められたハイ状態又はロー状態とは異なる状態か否かを判断することにより、前記送信装置の前記変換手段の動作異常を判断する。
【００３９】
また、請求項１８記載の発明の受信装置は、請求項１６記載の送信装置と前記通信回線及び前記他の通信回線を介して接続され、前記画像データを送信する前記通信回線とは別に、前記変換手段及び前記送信手段に接続される通信回線が1本である場合、送信されるデータは印字される論理であることを特徴とする。
【００４０】
更に、請求項１９記載の発明の受信装置は、請求項１６記載の送信装置と前記通信回線及び前記他の通信回線を介して接続され、前記画像データを送信する前記通信回線とは別に、前記変換手段及び前記送信手段に接続される通信回線が複数本である場合、送信されるデータは印字される論理と非印字される論理の2通りあることを特徴とする。
【発明の効果】
【００４１】
以上説明したように本発明は、画像データを処理するジョブ中に、テストデータを、画像データの受信と干渉しない状態で送受信し、パラレルデータに変換されたテストデータの各ビットのデータに基づいて、間の通信に異常があるか否かを判断するので、画像データの送受信と通信異常の判定とを適正に実行することができる。
【発明を実施するための最良の形態】
【００４２】
以下、図面を参照して、本発明の実施の形態を詳細に説明する。
【００４３】
図１に示すように、画像データ送受信システムは、インターフェース４４、４６を介して互いに送受信する送受信機１２、１４を備えている。
【００４４】
送受信機１２には、表示装置１６、スキャナ１８、及びプリンタ２０が接続されている。プリンタ２０には、画像形成された用紙を、異なる第１の位置２２Ａ及び第２の位置２２Ｂに排出可能な排紙装置２２が接続されている。
【００４５】
送受信機１２は、表示装置１６、スキャナ１８、プリンタ２０、及び排紙装置２２が接続された画像処理ＣＰＵ２６、スキャナ１８からの画像データと後述するように送受信機１４からの画像デートとを切り替えるセレクタ２４、及び、画像処理ＣＰＵ２６及びセレクタ２４に接続された送受信制御装置２８を備えている。
【００４６】
送受信制御装置２８には、送受信制御装置２８からのデータ（パラレルデータ）をシリアルデータに変換する変換器３０と、送受信機１４からの画像データ（シリアルデータ）をパラレルデータに変換する変換器３２とが接続されている。
【００４７】
送受信機１４は、送受信機１２からデータ（シリアルデータ）をパラレルデータに変換する変換器４０と、データ（パラレルデータ）をシリアルデータに変換する変換器４２と、を備えている。
【００４８】
変換器４０、４２には、変換器４０によりパラレルデータに変換されたデータ（画像データ）を、所定の画像処理を施す画像処理装置３４に送信すると共に、画像処理装置３４により処理された画像データ（パラレルデータ）を上記変換器４２に送信する送受信制御装置３８が接続されている。
【００４９】
送受信制御装置３８及び画像処理装置３４には、画像処理ＣＰＵ３６が接続されている。
【００５０】
なお、送受信機１２の画像処理ＣＰＵ２６と、送受信機１４の画像処理ＣＰＵ３６とは個別に信号線により直接接続されている。
【００５１】
次に、本実施の形態の作用を説明する。
【００５２】
図２に示す通信異常の判定処理ルーチンを、送受信機１２に電源が投入（Power On）され、初期Bootシーケンスの際、画像処理ＣＰＵ２６がこれを実行する場合を例にとり説明する。
【００５３】
ステップ５２で、送受信機１４の画像処理ＣＰＵ３６との間で、イニシャライズし、ステップ５４で、イニシャライズが完了したと判断されると、ステップ５６で、画像（Video）データの通信系のイネーブル動作を実行し、ステップ５８で、画像データの通信系のリンクを確立する動作を実行する。
【００５４】
ステップ６０で、画像データの通信系のリンクが確立されたと判断された場合、ステップ６２で、テストモード開始調停をし、ステップ６４で、テストモードを設定し、ステップ６６で、テストモード設置終了の調停をし、ステップ６８で、テストモードの設定が完了したと判断された場合、ステップ７０で、送受信制御装置２８に対しテストデータを送信するように指示する。
【００５５】
なお、ステップ５２〜ステップ７０は、送受信機１２の画像処理ＣＰＵ２６が実行する。
【００５６】
ここで、テストデータを説明する。
【００５７】
送受信機１２、１４は、上記テストデータを複数種類記憶しており、例えば、本ルーチンを実行する毎に、送受信するテストデータを変更するようにしている。なお、上記ステップ６２〜６６の処理で、送受信機１２、１４は、互いにどのテストデータを使用するのかが設定される。
【００５８】
また、テストデータの１つとしては、例えば、複数のビットで構成され、少なくとも各々のビットがパラレル状態で反転する。つまり通信データが32ビットあれば、例えばFFFFFFFF/00000000の組み合わせか、或いはAAAAAAAA/55555555の組み合わせでも良い。
【００５９】
例えば、FFFFFFFF/00000000の組み合わせの場合、テストデータを簡単に示すと、図３に示すように、上位ビット（ＭＳＢ）として、１１１１の４つのビットで構成され、下位ビット（ＬＳＢ）は、００００の４つのビットで構成される。
【００６０】
上記ステップ７０における指示に従って、送受信制御装置２８は、テストデータを送信する。送受信制御装置２８から送信される際のテストデータは、パラレルデータであり、これが変換器３０に送信される。
【００６１】
変換器３０では、入力したテストデータ（パラレルデータ（上記例では、１１１１００００））を、シリアルデータに変換して、インターフェース４４、４６を介して、送受信機１４の変換機４０に送信する。この際は、送受信機１２から送受信機１４には、図３に示すように、順に、１１１１００００の各データがシリアルに送信される。
【００６２】
変換機４０は、１１１１００００の各データを順に受信し、パラレルデータに変換する。従って、変換機４０の変換により得られたデータは、上位ビットから下位ビットにかけて、００００１１１１となり、元のテストデータを反転させたデータとなって、送受信制御装置３８に入力される。なお、特に反転させなくともよい。
【００６３】
テストデータを入力した送受信制御装置３８は、テストデータを入力した旨を画像処理ＣＰＵ３６に伝える。これにより、図２のステップ７２が実行され、ステップ７４で、送受信制御装置３８に、テストデータに基づく通信回線の異常を判定させる。
【００６４】
これにより、送受信制御装置３８は、図４に示す、判定処理ルーチンを実行する。
【００６５】
ステップ７６で、本ルーチンで使用する変数であるｉ、及び後述する状態を示すフラグFを０に初期化し、ステップ７８で、受信したテストデータの各ビットのデータを識別する変数ｉを１インクリメントする。なお、変数ｉが１、２、３、…となるに従って、受信
したテストデータの下位ビットを順に識別する、即ち、元のテストデータの上位ビットを順に下位ビットに向って識別する。
【００６６】
ステップ８０で、ｉビット目として送信されるべきデータＤi0を取得する。即ち、図３に示す例では、元のテストデータは、上位ビットから順に、１１１１００００と決まっているので、受信されるべきデータＤi0は、その上位ビットから００００１１１１と定まる。よって、ｉビット目として送信されるべきデータＤi0を取得することができる。例えば、ｉ＝１ビット目として送信されるべきデータＤi0＝データＤ10=１であり、ｉが順に１つづつ大きくなると、１１１０００とｉビット目として送信されるべきデータＤi0が取得される。
【００６７】
ステップ８２で、現実に受信したテストデータのｉビット目のＤiを取得する。
【００６８】
ステップ８４で、ｉビット目として送信されるべきデータＤi0と現実に受信したテストデータのｉビット目のＤiとが一致するか否かを判断する。ｉビット目として送信されるべきデータＤi0と現実に受信したテストデータのｉビット目のＤiとが一致する場合には、当該ビットにおける通信状態には異常が発生していないと判断することができ、ステップ９０に進む。
【００６９】
ｉビット目として送信されるべきデータＤi0と現実に受信したテストデータのｉビット目のＤiとが一致しない場合には、当該ビットにおける通信状態には異常が発生していると判断することができ、ステップ８６で、変数ｉを記憶し、ステップ８８で、通信状態には異常が発生していることを示すフラグＦを１にセットして、ステップ９０に進む。
【００７０】
ステップ９０では、変数ｉが、テストデータの総ビット数Ｉ（上記例では８）に等しい
か否かを判断する。変数ｉが、テストデータの総ビット数Ｉに等しくないと判断された場
合には、未だ通信状態の異常を判定していないビットがあるので、ステップ７８に戻って、以上の処理（ステップ７８〜９０）を実行する。
【００７１】
変数ｉが、テストデータの総ビット数Ｉに等しいと判断された場合には、通信状態の異
常を全てのビットについて判定したので、ステップ９２で、フラグＦが１にセットされているか否かを判断し、１にセットされていなければ、本ルーチンを終了する。
【００７２】
一方、フラグＦが１にセットされている場合には、通信状態には異常が発生しているので、画像処理ＣＰＵ３６に、通信状態に異常が発生していることを表示するように要求する。
【００７３】
通信状態に異常が発生していることを表示するように要求された画像処理ＣＰＵ３６は、画像処理ＣＰＵ２６に対して、同様に、通信状態に異常が発生していることを表示するように要求する。
【００７４】
これにより、画像処理ＣＰＵ２６は、表示装置１６を制御して、通信状態に異常が発生していることを表示する。よって、ユーザに異常発生を積極的に報知することができる。従って、ユーザはこれに気付き、サービスマンにより迅速に連絡することができる。
【００７５】
ところで、上記実施の形態では、現実に受信したテストデータの何れかのビットが、受信されるべきデータと相違している場合、通信異常を報知するようにしているが、本発明はこれに限定されるものではなく、元のテストデータの上位ビットにのみ通信異常が発生している場合に、これを報知するようにしてもよい。具体的には、図５に示すように、上記ステップ８６を実行した後、ステップ８８を実行する前に、ステップ８７で、変数ｉが
、テストデータの上位ビット（図３に示す例では、上から４番目）を識別する値、即ち、受信したテストデータの下位ビットを識別するＩU（上記例では４）以下か否かを判断する。
【００７６】
変数ｉが、受信したテストデータの下位ビットを識別するＩU（例えば、４）以下であ
る場合には、受信したテストデータの下位ビットで通信異常が発生していると判断する、即ち、元のテストデータの上位ビットで通信異常が発生していると判断することができ、この場合にのみ、ステップ８８に進む。なお、元のテストデータの上位ビットで通信異常が発生していない、元のテストデータの下位ビットで通信異常が発生していると判断した場合には、ステップ８８をスキップして、ステップ９０に進む。
【００７７】
このように、元のテストデータの上位ビットで通信異常が発生している場合に限り、フラグＦが１にセットされ、ステップ９２が肯定判定され、ステップ９４で、通信異常が発生していることを報知することができる。
【００７８】
このように、元のテストデータの上位ビットで通信異常が発生している場合に限り、通信異常が発生していることを報知するのは、元のテストデータの下位ビット、即ち、画像データの下位ビットに通信異常が発生しても、画質への影響を無視することができるからである。これにより、不必要にサービスマンに連絡がされることを防止することができる。
【００７９】
また、上記ステップ８６で、単に、変数ｉを記憶するようにしているが、本発明はこれ
に限定されるものではなく、変数ｉに対応してカウントアップするようにしてもよい。
【００８０】
これより、本ルーチンが実行される毎に、通信異常が発生していると判断された場合には、これを履歴として保存することができる。
【００８１】
テストデータの上位ビットに異常が集中している場合には、例えば、図６に示すように、受信したテストデータの下位ビット（例えば、下一桁）のカウント値が多いように記憶される。
【００８２】
テストデータの下位ビットに異常が集中している場合には、例えば、図７に示すように、受信したテストデータの上位ビット（例えば、７桁目）のカウント値が多いように記憶される。
【００８３】
テストデータの、シリアル変換の際に相関のあるビットに異常が集中している場合には、例えば、図８に示すように、例えば、４、５ビット目に異常が集中しているように記憶される。
【００８４】
シリアル変換の際に相関のあるビットとは次の通りである。
【００８５】
元のテストデータを、例えば、４本の通信回線でシリアル状に送信する場合には、元テストデータの１ビット目、２ビット目をシリアルデータとして１つの通信回線を介して送信し、元テストデータの３ビット目、４ビット目をシリアルデータとして１つの通信回線を介して送信し、元テストデータの５ビット目、６ビット目をシリアルデータとして１つの通信回線を介して送信し、元テストデータの７ビット目、８ビット目をシリアルデータとして１つの通信回線を介して送信することになる。
【００８６】
上記４本の通信回線の内、元テストデータの３ビット目、４ビット目をシリアルデータとして通信する通信回線に通信異常が発生した場合には、図８に示すように、シリアル変換の際に相関のあるビットに異常が集中することになる。
【００８７】
なお、図９に示すよう、テストデータの各ビットに異常がランダムに発生している場合もある。
【００８８】
以上のように、ステップ８６で変数ｉをカウントアップすると、通信異常が発生したビ
ットに基づいて、異常の原因を推定することができる。
【００８９】
例えば、図８に示すように、シリアル変換の際に相関のあるビットに異常が集中している場合には、シリアルライン、即ち、通信回線自体（ケーブルやコネクタの外れ）に異常があると判断できる。また、図６や図７に示すように、テストデータの特定ビットに異常が集中している場合には、シリアルラインではないので、パラレルライン、例えば、通信回線以外の部分に異常が発生していると判断することができる。
【００９０】
このように、ステップ８６で変数ｉをカウントアップすると、通信異常が発生したビッ
トに基づいて、異常の原因を推定することができるので、上記ステップ９４では、図１０に示すように、ステップ１０２で、異常（エラー）がテストデータの特定ビット（例えば、上位ビット）に集中しているか否かを判断する。異常がテストデータの特定ビットに集中している場合には、パラレルライン、例えば、通信回線以外の部分に異常が発生していると判断することができるので、ステップ１０４で、パラレルラインに異常がある旨を報知（表示）する。
【００９１】
なお、上記のように、画質への影響を無視することができる下位ビットの通信異常の場合にのみ、パラレルラインに異常がある旨を報知（表示）するようにしてもよい。
【００９２】
ステップ１０２で、異常（エラー）がテストデータの特定ビット（例えば、上位ビット）に集中していないと判断された場合には、ステップ１０６で、異常（エラー）がシリアル変換の際に相関のあるビットに異常が集中しているか否か判断し、異常（エラー）がシリアル変換の際に相関のあるビットに異常が集中していると判断された場合には、シリアルライン（通信回線）に異常があるので、ステップ１０８で、シリアルラインに異常がある旨を報知（表示）する。
【００９３】
ステップ１０６で、異常（エラー）がシリアル変換の際に相関のあるビットに異常が集中していると判断されなかった場合には、ランダムな異常であるので、ステップ１１０で、ランダムな異常が発生している旨を報知（表示）する。
【００９４】
ところで、上記のように、変数ｉに対応してカウントアップするように、プログラムで
処理することに限定されず、これを、図１１に示すように、ハードウェアーで実現するようにしてもよい。
【００９５】
例えば、図１１に示すように、送受信制御装置２８、３８は、変換機３２、４０からのパラレルデータをラッチ回路１１２でラッチし、データ比較回路１１４で、上記ラッチしたテストデータを、送信されるべきデータと一致するか否かを、各ビット毎に判断し、一致しないビットがある場合には、対応するビットカウンタ１１６にカウントアップさせる。
【００９６】
以上説明した例は、送受信機１２から送受信機１４にテストデータを送信し、送受信機１４側で、異常発生の判定をするようにしているが、本発明はこれに限定されるものではなく、送受信機１４側からテストデータを送信し、送受信機１２で、異常発生の判定をするようにしてもよい。
【００９７】
以上のように送受信機１４側又は送受信機１２で異常発生の判定をして、問題ない場合には、例えば、スキャナ１８で原稿を読み取って得られた画像データを、ユーザの指定に従って、セレクタ２４により、送受信制御装置２８を介して変換器３０に送信し、ここでシリアルデータに変換して送受信機１４に送信する。送受信機１４では、パラレルデータに変換して、画像処理装置３４で、該画像データに所定の画像処理を施す。その後、画像処理が施された画像データを、シリアルデータに変換して送受信機１２に送信し、セレクタ２４を介してプリンタ２０に送信して用紙に画像形成する。
【００９８】
なお、スキャナ１８で原稿を読み取って得られた画像データは、ユーザの指定に従って、セレクタ２４により、プリンタ２０に直接送信される場合もある。
【００９９】
以上説明した例では、判定処理（ステップ７４（図２））を、送受信機１２に電源が投入（Power On）され、初期Bootシーケンスの際に実行する場合を例にとり説明したが、これに代えて、又はこれと共に、画像データを処理するジョブの開始時に行ってもよく、更に、上記リンク確立時に行ってもよい。
【０１００】
ところで、画像データを処理するジョブの開始時に行う場合には、これに伴って、画像データの処理が判定処理の後に実行されることになる。そこで、画像データを処理するジョブ中に、以下のように、テストデータを、画像データの送受信と干渉しない状態で送信して判定処理するようにしてもよい。
【０１０１】
即ち、スキャナ１８で原稿を読み取って画像データが得られ、画像データを処理するジョブが開始されると、画像処理ＣＰＵ２６は、図１２に示すプリントジョブ実行処理ルーチンを実行する。なお、スキャナ１８で原稿を読み取って得られた画像データは、ユーザの指定に従って、セレクタ２４により、送受信制御装置２８に入力されている。
【０１０２】
ステップ１２２で、プリントジョブを具体的に実行するように、送受信制御装置２８に指示する。具体的には、図１３（Ａ）に示すように、第ｎ頁の画像データを送信するように指示するnPageReq信号を送受信制御装置２８に送信する。これにより、送受信制御装置２８は、第ｎ頁の画像データを送信するように準備する。そして、画像処理ＣＰＵ２６は、図１３（Ｂ）に示すように、画像データのｎライン分を送信するように指示するnLineReq信号を送受信制御装置２８に送信する。これにより、送受信制御装置２８は、図１４のステップ１４０で、図１３（Ｃ）に示すように、画像データのｎライン分を送信する（nValidがハイ状態）。
【０１０３】
画像データは、変換器３０、４０、送受信制御装置３８を介して、画像処理装置３４に入力され、ここで、所定の画像処理が施され、該所定の画像処理が施された画像データは、送受信制御装置３８、変換器４２、３２、送受信制御装置２８、セレクタ２４を介して、プリンタ２０に出力され、プリント処理される。
【０１０４】
ところで、送受信制御装置２８は、画像データのｎライン分を送信すると、直ちに、次のライン（ｎ+１）の画像データを送信するわけではなく、次のnLineReq信号を入力するまで、次のライン（ｎ+１）の画像データを送信しない。即ち、画像データを間欠送信する。従って、画像データの間欠送信の間は、送受信制御装置２８は、待機状態である。
【０１０５】
そこで、この待機状態を利用して、送受信制御装置２８は、図１４のステップ１４２で、テストデータを送信する。
【０１０６】
これにより、テストデータが、変換器３０でシリアルデータに変換されて、送受信機１４の変換器４０に入力され、ここで、パラレルデータに変換される。パラレルデータに変換されたテストデータが入力されると、送受信制御装置３８は、図１５に示す制御ルーチンをスタートし、上記判定処理（ステップ７４）を実行する。
【０１０７】
なお、画像処理ＣＰＵ２６は、送受信制御装置２８が待機状態となるタイミングに従って、図１３（Ｄ）に示すように、nTestValid信号を画像処理ＣＰＵ３６に送信し、画像処理ＣＰＵ３６は、送受信制御装置３８に、上記判定処理（ステップ７４）を実行させるようにしてもよい。
【０１０８】
上記判定処理（ステップ７４）で、通信異常（エラー）が発生した場合には、送受信制御装置３８は、これを、画像処理ＣＰＵ３６を介して、画像処理ＣＰＵ２６に送信する。これにより、図１２のステップ１２４が肯定判定される。
【０１０９】
一方、上記判定処理（ステップ７４）で、通信異常が発生しなかった場合には、図１２のステップ１２４が否定判定され、ステップ１２６で、プリントが終了したか否かを判断する。プリントが終了した場合には、本ルーチンを終了し、プリントが終了していない場合には、ステップ１２２に戻り、上記処理（図１４、図１５）が画像データの間欠送信間に実行される。
【０１１０】
上記ステップ１２４で通信異常（エラー）が発生したと判断された場合には、通信異常が発生している状態で画像データが送受信されて、プリンタ２０で画像形成に用いられていると判断することができる。このような場合は、適正画像を形成することができない場合があると考えられ、ステップ１２８で、画像処理ＣＰＵ２６は、プリンタ２０乃至排紙装置２２に、通常のトレイ２２Ａとは異なる位置にあるパージトレイ２２Ｂに用紙を排出するように指示する。これにより、不良プリントの混入を防止できる。
【０１１１】
上記のように通信異常（エラー）が発生したので、ステップ１３０で、リンクの再確立をし、ステップ１３２で、ステップ１３４で、リンクが再確立されたと判断された場合、リカバリージョブを起動し、ステップ１２２に戻って、再度ジョブを実行する。
【０１１２】
ところで、上記例では、上記ステップ１２４で通信異常（エラー）が発生したと判断された場合には、適正が画像を形成することができないと考え、ステップ１２８に進み、パージトレイに用紙を排出するように指示しているが、本発明はこれに限定されるものではなく、通信異常が特定ビット（特に下位ビット）に集中している場合には、画質への影響が少ないので、そのままプリントジョブを継続処理してもよい。また、これに代えて、図１６に示すように、上記ステップ１２４で通信異常（エラー）が発生したと判断された場合には、ステップ１５０で、通信異常が特定ビット（特に下位ビット）に集中しているか否かを判断し、通信異常が特定ビット（特に下位ビット）に集中していると判断された場合には、ステップ１５２で、画像欠陥補正処理をプリンタ２０に指示する。即ち、通信異常が集中している特定ビット（特に下位ビット）の画像データを、該特定ビット以外のビットの画像データで推定し、推定した画像データに置換する。
【０１１３】
ところで、画像データの間欠送信間のテストデータの送受信の結果に基づいて通信異常を判定しているが、本発明はこれに限定されるものではなく、次のようにしてもよい。例えば、図１７（Ａ）に示すように、送受信機１４の変換器４２と送受信機１２の変換機３２との間を、ＣＭＹＫの各色の通信回線で接続し、ＣＭＹＫの各色の画像データ（シリアルデータ）を、対応する通信回線を介して送受信する。そして、Ｋの色の画像データのみを送信する場合には、該Ｋの色の通信回線以外のＣＭＹの通信回線の少なくとも１つ、例えば、図１７（Ｂ）に示すように、１つの通信回線（Ｙ）を用いて、テストデータを送受信して、上記判定処理（ステップ７４）を実行するようにしてもよい。
【０１１４】
なお、テストデータとしては、図３に示すテストデータに限定されず、Ｋの色の画像データと同一の画像データ（ダミー）を用いるようにしてもよい。
【０１１５】
以上説明したように、画像データを処理するジョブ中に、テストデータを、画像データの受信と干渉しない状態で送受信し、パラレルデータに変換されたテストデータの各ビットのデータに基づいて、通信に異常があるか否かを判断するので、画像データの送受信と通信異常の判定とを適正に実行することができる。
【０１１６】
以上説明した例は、通信状態を総合的に異常判定しているが、以下のように、変換器の変換動作の異常を判定するようにしてもよい。
【０１１７】
図１８（Ａ）には、変換器の動作異常を判定するための判定回路が示されている。図１８（Ａ）に示すように、画像データを送信する通信回線Ｌ１とは別に、変換器４２及びインターフェース４４６に接続されると共に、ハイ状態又はロー状態、例えば、ハイ状態に維持された他の通信回線Ｌ２を更に備える。
【０１１８】
送受信機１２、１４の少なくとも一方、例えば、送受信機１２には、画像データを受信したタイミングで、他の通信回線Ｌ２を介して受信された信号の状態が、予め定められた状態（上記例ではハイ状態）とは異なる状態か否かを判断する判断回路（フリップフロップ回路）１６０を備える。
【０１１９】
変換器４２が適正に動作（シリアル変換）すれば、画像データ（Video Data）が他の通信回線Ｌ２に混入することはない。従って、画像データを受信したタイミングで、他の通信回線Ｌ２を介して受信された信号の状態が、予め定められた状態（上記例ではハイ状態）となっているはずである。
【０１２０】
しかし、変換器４２が適正に動作（シリアル変換）しなければ、画像データ（Video Data）が他の通信回線Ｌ２に混入する場合がる。従って、画像データを受信したタイミングで、他の通信回線Ｌ２を介して受信された信号の状態が、予め定められた状態（上記例ではハイ状態）と異なる状態となる。即ち、この場合、例えば、画像データが１（ハイ状態）の信号で、通信回線Ｌ２には、０（ロー状態）の信号が混入するように、画像データを受信したタイミングで、通信回線Ｌ２と画像データとが論理の関係となっている。
【０１２１】
このように、画像データを受信したタイミングで、他の通信回線Ｌ２を介して受信された信号の状態が、予め定められた状態（上記例ではハイ状態）と異なる状態と判断した場合、判断回路１６０は、エラーを画像処理ＣＰＵ２６に報知する。
【０１２２】
ここで、上記通信回線Ｌ２をハイ状態に維持させたのは次の理由からである。画像データに基づいて具体的に印字する場合、１の信号（ハイ状態）を送信する。しかし、印字する場合であっても、全面印字は少ないので、画像データの送信の際、０の信号（ロー状態）を送信する場合が多い。従って、変換器が動作異常となっている場合、画像データの送信の際、０の信号（ロー状態）が通信回線Ｌ２に混入する場合が多い。よって、上記通信回線Ｌ２をロー状態に維持させたとしても、変換器の動作異常を検知判定することができない。そこで、上記通信回線Ｌ２をハイ状態に維持させたものである。
【０１２３】
ところで、上記のように通信回線Ｌ２をハイ状態に維持させても、変換器４２が適正に動作（シリアル変換）せず、画像データ（Video Data）が他の通信回線Ｌ２に混入しても、他の通信回線Ｌ２が予め定められた状態（ハイ状態）となるように混入する場合もある。このような場合には、適正に動作異常を判断することはできない。
【０１２４】
そこで、図１８（Ｂ）に示すように、複数の上記他の通信回線Ｌ２、Ｌ３を備えるようにしてもよい。なお、通信回線Ｌ２、Ｌ３は、互いに異なる状態に維持する、例えば、通信回線Ｌ２をハイ状態に、通信回線Ｌ３をロー状態に維持するようにしてもよい。この場合、図１８（Ｂ）の上記判断回路１６０をそのまま用いるためには、通信回線Ｌ２の一端と、ロー状態に維持された通信回線Ｌ３の一端を、反転器１６２を介して、それぞれＯＲ回路１６４に接続し、ＯＲ回路１６４の出力端を判断回路１６０に接続する。
【０１２５】
即ち、変換器の動作異常の場合、画像データを受信したタイミングで、例えば、画像データが１（ハイ状態）の信号の場合、第１に、通信回線Ｌ２、Ｌ３にはそれぞれ０（ロー状態）の信号が送信され、第２に、通信回線Ｌ２、Ｌ３にはそれぞれ１（ハイ状態）の信号が送信され、第３に、通信回線Ｌ２には０（ロー状態）の信号が送信されると共に通信回線Ｌ３には１（ハイ状態）の信号が送信される場合がある。また、変換器の動作異常の場合、画像データを受信したタイミングで、例えば、画像データが０（ロー状態）の信号の場合、第１に、通信回線Ｌ２、Ｌ３にはそれぞれ０（ロー状態）の信号が送信され、第２に、通信回線Ｌ２、Ｌ３にはそれぞれ１（ハイ状態）の信号が送信され、第３に、通信回線Ｌ２には０（ロー状態）の信号が送信されると共に、通信回線Ｌ３には、１（ハイ状態）の信号が送信される場合がある。このような場合、判断回路１６０は、エラーを画像処理ＣＰＵ２６に報知する。
【０１２６】
なお、図１８（Ａ）に示すように、通信回線Ｌ２を備えた場合、通信回線Ｌ２に、図１８（Ｂ）に示すように、通信回線Ｌ２、Ｌ３を備えた場合、通信回線Ｌ２、Ｌ３に、通信回線Ｌ１の画像データと同一又は論理（逆）のテストデータを送信するようにしてもよい。なお、この場合、図１８（Ｂ）に示すように、通信回線Ｌ２、Ｌ３を備えた場合、通信回線Ｌ２に、通信回線Ｌ１の画像データと同一又は論理（逆）のテストデータを送信し、通信回線Ｌ３に、通信回線Ｌ１の画像データと論理（逆）又は同一のテストデータを送信するようにしてもよい。
【０１２７】
また、図１９に示すように、表示装置１６、スキャナ１８、プリンタ２０、排紙装置２２が接続された上記送受信機１２と同様の構成の送受信機１７０を複数（図１９では例として２つ）備えるようにしてもよい。なお、図１９に示す例では、各送受信機１７０は、プリントデータ生成回路１７２、スキャンデータ処理回路１７４、及び送受信装置１７６（送受信装置２８と同様の装置）を備えている。各送受信機１７０は、送受信機１８０（送受信機１４と同様の装置）に接続されている。送受信機１８０は、各送受信機１７０に対応して、送受信装置１８２、１８４（送受信回路装置３８と同様の装置）を備えている。送受信装置１８２、１８４には、プリントデータ生成回路１８８、スキャンデータ処理回路１８６が接続され、各素子（１８２、１８４、１８６、１８８）には、ＣＰＵ１８８が接続されている。なお、ＣＰＵ１８８には、表示装置１６が接続されている。
【０１２８】
そして、何れかの送受信機１７０との通信異常が発生した場合、送受信機１８０は、他の送受信機１７０に切り替えるべきことを表示装置１６に表示する。
【０１２９】
以上種々説明したように、通信異常が発生した場合には、いち早くこれを検知し、顧客に問題の発生を知らせているので、不良プリントの混入を防止できる。
【０１３０】
また、顧客からの連絡を待たずして通信品質のチェックが可能となり、その情報によりサービスマンが客先へ出向き、異常プリント発生前に対処可能になる。
【０１３１】
更に、サービスマンの熟練度により部品の誤交換が発生するなどの問題を低減することが可能になる。
【０１３２】
なお、判定処理では、送受信機１２、１４の一方から他方にテストデータを送信して判定処理を実行するので、どんなテストデータなのかを互いに知る必要がある。しかし、送受信機１２、１４の一方から他方にテストデータを送信し、他方は更に、受信したテストデータを一方に返信するようにしてもよい。これにより、どんなテストデータなのかを互いに知る必要をなくすことができる。
【図面の簡単な説明】
【０１３３】
【図１】画像データ送受信システムのブロック図である。
【図２】Power Onの初期Bootシーケンスの際の通信異常の判定処理ルーチンを示すフローチャートである。
【図３】テストデータが、パラレルデータからシリアルデータ、シリアルデータからパラレルデータに変換される様子を示す図である。
【図４】図２のステップ７４のサブルーチンを示すフローチャートである。
【図５】変形例における図２のステップ７４のサブルーチンを示すフローチャートである。
【図６】テストデータの各ビット毎の異常の履歴を示す図であり、特に、テストデータの上位ビットに異常が集中している場合の履歴を示す図である。
【図７】テストデータの各ビット毎の異常の履歴を示す図であり、特に、テストデータの下位ビットに異常が集中している場合の履歴を示す図である。
【図８】テストデータの各ビット毎の異常の履歴を示す図であり、特に、テストデータの、シリアル変換の際に相関のあるビットに異常が集中している場合の履歴を示す図である。
【図９】テストデータの各ビット毎の異常の履歴を示す図であり、特に、テストデータの各ビットに異常がランダムに発生している場合の履歴を示す図である。
【図１０】図４又は図５のステップ９４のサブルーチンを示すフローチャートである。
【図１１】変形例における送受信制御装置の簡略ブロック図である。
【図１２】プリントジョブ実行処理ルーチンを示すフローチャートである。
【図１３】画像データの送信及びテストデータの送信のタイミングチャートである。
【図１４】図１２のステップ１２２に基づいて送受信制御装置が実行する制御ルーチンを示すフローチャートである。
【図１５】受信側の送受信制御装置が実行する制御ルーチンを示すフローチャートである。
【図１６】変形例におけるプリントジョブ実行処理ルーチンを示すフローチャートである。
【図１７】通信回線を示す図である。
【図１８】変換器の動作異常を判定するための判定回路を示した図である。
【図１９】各々画像形成装置を備えた複数の送信側から画像データを受信する場合の画像データ送受信システムのブロック図である。
【符号の説明】
【０１３４】
１２、１４    送受信機（送信装置、受信装置）
２８、３８    送受信制御装置
３０、３２、４０、４２  変換器（変換手段）
２０          プリンタ（画像形成手段）
２２          排紙装置（画像形成手段）
１６          表示装置（報知手段）
【図１】
2006303626.tif 000003
【図２】
2006303626.tif 000004
【図３】
2006303626.tif 000005
【図４】
2006303626.tif 000006
【図５】
2006303626.tif 000007
【図６】
2006303626.tif 000008
【図７】
2006303626.tif 000009
【図８】
2006303626.tif 000010
【図９】
2006303626.tif 000011
【図１０】
2006303626.tif 000012
【図１１】
2006303626.tif 000013
【図１２】
2006303626.tif 000014
【図１３】
2006303626.tif 000015
【図１４】
2006303626.tif 000016
【図１５】
2006303626.tif 000017
【図１６】
2006303626.tif 000018
【図１７】
2006303626.tif 000019
【図１８】
2006303626.tif 000020
【図１９】
2006303626.tif 000021